(57)【要約】【課題】  検索中のファイルナンバーをリアルタイムに表示するようにした記録再生装置及びこの装置を用いたファイルサーチ表示方法を提供する。【解決手段】  音声の録音、再生及びサーチの動作指示を司る操作部１と、音声を入力するための音声入力部５と、この音声入力部５によって入力された音声から音声データを記憶するメモリ８と、このメモリ８によって記憶された音声データを読み出すＤＳＰ６と、このＤＳＰ６によって読み出された音声データを音声として出力する音声出力部１０とを備えた記録再生装置のファイルサーチ表示方法において、操作部１からサーチの指示があった場合、メモリ８に記憶された音声データを順次検索し、検索された音声データに対するファイル番号を表示することを特徴とする。【選択図】  図１
2005084250.tif 000002
【特許請求の範囲】
【請求項１】
音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置において、
前記操作手段から前記サーチの指示があった場合、前記記憶手段に記憶された前記音声データを順次検索する記憶制御手段と、
この記憶制御手段に検索された前記音声データに対する音声情報を表示する表示手段とを具備することを特徴とする記録再生装置。
【請求項２】
音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置において、
前記操作手段から前記サーチの指示があった場合、前記記憶手段に記憶された前記音声データを順次検索し、検索開始から所定数経過した前記音声データがあることを判断する記憶制御手段と、
この記憶制御手段によって前記音声データがあると判断された場合、前記所定数経過した前記音声データに対する音声情報を表示する表示手段とを具備することを特徴とする記録再生装置。
【請求項３】
音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置において、
前記音声データの中で優先度の高い音声データにマークを付して前記記憶手段に記憶するための記憶制御手段と、
前記操作手段から、前記記憶制御手段に記憶された優先度の高い前記音声データに対してのサーチ指示があった場合、このサーチ中に前記音声データに対する音声情報を表示するとともに、前記音声情報と異なる音声視覚情報も表示する表示手段とを具備することを特徴とする記録再生装置。
【請求項４】
前記記憶手段は、半導体メモリであることを特徴とする請求項１乃至３のいずれかに記載の記録再生装置。
【請求項５】
前記記憶手段は、着脱可能なメモリカードであることを特徴とする請求項１乃至３のいずれかに記載の記録再生装置。
【請求項６】
前記音声情報は、前記音声データに対応したファイル番号であることを特徴とする請求項１乃至３のいずれかに記載の記録再生装置。
【請求項７】
前記音声視覚情報は、文字や記号やマークを含むデータであることを特徴とする請求項３記載の記録再生装置。
【請求項８】
音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置のファイルサーチ表示方法において、
前記操作手段から前記サーチの指示があった場合、前記記憶手段に記憶された前記音声データを順次検索するステップと、
検索された前記音声データに対する音声情報を表示するステップとを具備することを特徴とするファイルサーチ表示方法。
【請求項９】
音声の録音、再生及びサーチの動作指示を司る操作手段と、前記音声を入
力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置のファイルサーチ表示方法において、
前記操作手段から前記サーチの指示があった場合、前記記憶手段に記憶された前記音声データを順次検索し、検索開始から所定数経過した前記音声データがあることを判断するステップと、
前記音声データがあると判断された場合、前記所定数経過した前記音声データに対する音声情報を表示するステップとを具備することを特徴とするファイルサーチ表示方法。
【請求項１０】
音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置のファイルサーチ表示方法において、
前記音声データの中で優先度の高い音声データにマークを付して前記記憶手段に記憶するステップと、
前記操作手段から、記憶された優先度の高い前記音声データに対してのサーチ指示があった場合、このサーチ中に前記音声データに対する音声情報を表示するとともに、前記音声情報と異なる音声視覚情報も表示するステップとを具備することを特徴とするファイルサーチ表示方法。
【請求項１１】
前記記憶手段は、半導体メモリであることを特徴とする請求項８乃至１０のいずれかに記載のファイルサーチ表示方法。
【請求項１２】
前記記憶手段は、着脱可能なメモリカードであることを特徴とする請求項８乃至１０のいずれかに記載のファイルサーチ表示方法。
【請求項１３】
前記音声情報は、前記音声データに対応したファイル番号であることを特徴とする請求項８乃至１０のいずれかに記載のファイルサーチ表示方法。
【請求項１４】
前記音声視覚情報は、文字や記号やマークを含むデータであることを特徴とする請求項１０記載のファイルサーチ表示方法。
【発明の詳細な説明】
【技術分野】
【０００１】
この発明は、音声を音声データとして保存（録音）でき再生できる機能を有する記録再生装置及びこの装置を用いたファイルサーチ表示方法に関する。
【背景技術】
【０００２】
従来、記録媒体に固体メモリを使用した音声録音再生装置（以下メモリーレコーダ）において、「重要マーク」という仕様がある。これは、ユーザーが録音したファイルのなかで、重要と思うファイルに重要マークをマーキングする。マーキングされたファイルは、消去プロテクトがかかり、消去できないようになっている。また、マーキングしたファイルのみの検索（以下重要マークサーチ）が可能である。
【０００３】
この重要マークサーチでは、例えば１９９件ファイルが記録されていて、そのうちファイル１９９にマーキングされているとする。今セットの表示上ファイル１を示していて、ここから重要サーチを操作すると、ファイル２、３、４と順番にマーキングされているかどうかファイルをサーチし、ファイル１９９をサーチしたところでマーキングを見つけて停止する。
【０００４】
このサーチ動作時に、あるファイルがマーキングされているかどうかは、そのファイルが記録されているメモリ上のファイルのデータを読み出さなくてはならない。１回の検索に例えば２０ｍｓの時間がかかったとしても１９９回繰り返すと、ユーザーが操作して結果が出るまで約４秒の時間がかかっていた。
【０００５】
このようなユーザが重要と思うファイルに重要マークをマーキングして、このマークされたファイルをサーチするものについては既に公開されている。（例えば、特許文献１）
【特許文献１】特開２００３−００６２０８号公報
【発明の開示】
【発明が解決しようとする課題】
【０００６】
従来のように、重要マークサーチでファイル検索中に、特に表示を変えないと、ユーザーは操作が受け付けられたのか、その操作が実行中であるのかよくわからなくて不便であり、待ち時間にいらいらするという問題があった。
【０００７】
そこで、本発明は上記の問題を解決するために成されたものであり、検索中に今検索しているファイルナンバーをリアルタイムに表示することが可能な記録再生装置及びこの装置を用いたファイルサーチ表示方法を提供することにある。
【課題を解決するための手段】
【０００８】
上記した課題を解決するために、この発明の記録再生装置は、音声の録音、再生及びサーチの動作指示を司る操作手段と、前記音声を入力するための音声入力手段と、この音声入力手段によって入力された前記音声から音声データを記憶する記憶手段と、この記憶手段によって記憶された前記音声データを読み出す読出手段と、この読出手段によって読み出された前記音声データを前記音声として出力する音声出力手段とを備えた記録再生装置において、前記操作手段から前記サーチの指示があった場合、前記記憶手段に記憶された前記音声データを順次検索する記憶制御手段と、この記憶制御手段に検索された前記音声データに対する音声情報を表示する表示手段とを具備したことを特徴とする。
【発明の効果】
【０００９】
この発明によれば、検索中のファイルナンバーをリアルタイムに表示し、近場へのサーチであれば瞬時に、遠くへのサーチであれば、表示されているファイルナンバーが増減して、サーチ中であることをわからしめることにより、従来に比べ、操作を受け付けて検索実行中であることが一目でわかり、また検索中の待ち時間のいらいらも軽減させることができる。
【発明を実施するための最良の形態】
【００１０】
以下、この発明の実施例について、図面を参照しながら詳細に説明する。
【００１１】
図１は、この発明の記録再生装置の第１の実施例について説明するためのブロック構成図であり、ここでは、フラッシュメモリを記録媒体とする記録再生装置を例にして説明する。
【００１２】
図１に示すように、この記録再生装置は、操作部１、モード遷移制御部２、表示部３、表示制御部４、音声入力部５、ＤＳＰ（digital signal processor）６、ＤＳＰ制御部７、メモリ８、メモリ制御部と、音声・音楽出力部１０、電源回路部２０、バッテリー２１とを具備した構成となっている。
【００１３】
電源回路２０は、バッテリ２１からの電源電圧により所定の電圧値の電源電圧を作成して、各回路に供給する。
【００１４】
操作部１は、再生釦１１と、記録釦１２と、停止釦１３と、サーチプラス釦１４と、サーチマイナス釦１５と、重要釦１６とを含む各種操作釦とを有している。再生釦１１はメモリ８に記録された音声データを再生させるためのものであり、記録釦１２はメモリ８に音声を記録させるためのものであり、停止釦１３は再生動作又は記録動作等の操作を停止させるためのものである。また、サーチプラス釦１４及びサーチマイナス釦１５は所望のファイルをサーチするためのものである。重要釦１６は、ユーザが重要と思われるファイルにマークを付けるためのもので、実際には重要マークを付ける場合はこの重要釦１６と停止釦１３を同時に押すことで重要マークを付けることができる。このように、ユーザはこの各種操作釦を操作することで、例えば記録された音声データを再生したりまたは音声を記録したり、さらには記録された音声データをサーチ等することができる。
【００１５】
この操作部１は上記各種操作釦がユーザによってそれぞれオン操作されることにより、各オン信号をモード遷移制御部２に供給する。
【００１６】
モード遷移制御部２は、再生釦１１、記録釦１２、停止釦１３、サーチプラス釦１４と、サーチマイナス釦１５と、重要釦１６の各オン信号を検出することにより、それぞれ再生モード、録音モード、停止モード、およびファイルサーチモードの各モードへ移行する事を伝達する制御信号を、表示制御部４、ＤＳＰ制御部７、メモリ制御部９に出力する。
【００１７】
表示制御部４は、モード遷移制御部２の制御信号に基づいて表示部３に現在のモード等の画面表示を行なわせたり、現在選択中のファイル番号やメモリ８の空き容量を表示する。
【００１８】
音声入力部５は、マイク５１、フィルタ５２及びアナログ／デジタル変換回路（以下、Ａ／Ｄ変換回路と呼ぶ）５３から構成されている。マイク５１は、音声を電気信号の音声信号に変換し、フィルタ５２に供給する。フィルタ５２は、マイク５１からのアナログ信号より低音域や高音域の不要成分を除去し、必要な帯域の信号をＡ／Ｄ変換回路５３に供給する。Ａ／Ｄ変換回路５３は、フィルタ５２からのアナログ音声信号をデジタル音声信
号に変換し、ＤＳＰ６に供給する。
【００１９】
ＤＳＰ制御部７は、モード遷移制御部２の制御信号に基づいてＤＳＰ６に再生指示、停止指示等の指示を行う。ＤＳＰ６は、ＤＳＰ制御部７からの指示が記録指示の場合に、音声入力部５からのデジタル音声信号を圧縮符号化して音声データとしてメモリ８に供給する。メモリ８は、例えばフラッシュメモリのような不揮発性の半導体メモリとなっている。また、着脱可能なメモリカードタイプのものであってもよい。
【００２０】
メモリ制御部９は、モード遷移制御部２の制御信号に基づいてメモリ８に再生指示、記録指示、停止指示等の指示を行い、メモリ８にＤＳＰ６からの音声データの書き込みを行わせたり、メモリ８に記録した音声データや音楽データの読出しを行わせたりする。
【００２１】
メモリ８から読み出された音声データや音楽データは、ＤＳＰ６に供給される。ＤＳＰ６はＤＳＰ制御部７から再生指示が行われた場合、メモリ８からの音声データや音楽データに対して伸長処理を行うことによりデジタル音声信号を作成して、音声・音楽出力部１０に供給する。
【００２２】
音声・音楽出力部１０は、デジタル／アナログ変換回路（以下、Ｄ／Ａ変換回路と呼ぶ）１０１、フィルタ１０２およびスピーカ１０３から構成されている。Ｄ／Ａ変換回路１０１は、ＤＳＰ６からのデジタル音声信号をアナログ音声信号に変換し、フィルタ１０２に供給する。フィルタ１０２はＤ／Ａ変換回路１０１からのアナログ信号から低音域や高音域の不要成分を除去し、必要な帯域の音声信号をスピーカ１０３から音声出力させる。
【００２３】
次に、本発明の実施例の記録再生装置の各種動作について説明する。
【００２４】
図２は、停止モードから音声再生を行う場合の動作を示すフローチャートである。
【００２５】
停止モードから音声再生を行う場合、ユーザ（使用者）は操作部１の再生釦１１を押す（ステップＳ２０１）。これにより、モード制御手段２は、操作部１の再生釦１１が押されたことを検出して、再生モードへの移行をＤＳＰ制御部７とメモリ制御部９に伝える（ステップＳ２０３、Ｓ２０５）。これにより、ＤＳＰ制御部７とメモリ制御部９は、再生指示をＤＳＰ６とメモリ８へ出力し、メモリ制御部９は、メモリ８に記録された音声データをメモリ８から読み出しＤＳＰ６に送る（ステップＳ２０７）。すなわち、再生モードに設定される。ＤＳＰ６は圧縮符号化されている音声データを伸長する（ステップＳ２０９）。伸長されたデジタル音声信号は、音声・音楽出力部１０のＤ／Ａ変換回路１０１でアナログ音声信号に変換され（ステップＳ２１１）、さらにフィルタ１０２を介してスピーカ１０３から出力される（ステップＳ２１３）。
【００２６】
図３は、停止モードから音声録音を行う場合の動作を示すフローチャートである。
【００２７】
停止モードから音声録音を行う場合は、ユーザ（使用者）は操作部１の記録釦１２を押す（ステップＳ３０１）。これにより、モード制御手段２は、操作部１の記録釦１２が押されたことを検出して、記録モードへの移行をＤＳＰ制御部７とメモリ制御部９に伝える（ステップＳ３０３、Ｓ３０５）。すなわち、記録モードに設定される。これにより、ＤＳＰ制御部７とメモリ制御部９は、記録指示をＤＳＰ６とメモリ８へ出力し、ＤＳＰ６は音声入力部５からのデジタル音声信号を圧縮符号化して音声データとしてメモリ８に記録させる（ステップＳ３０７、Ｓ３０９）。
【００２８】
図４は、記録されたファイルをサーチする場合の動作を示すフローチャートである。
【００２９】
停止モード中に次又は前のファイルをサーチする場合は、ユーザ（使用者）は操作部１のサーチプラス釦１４かサーチマイナス釦１５を押す（ステップＳ４０１）。これにより、モード制御手段２は、操作部１のサーチプラス釦１４かサーチマイナス釦１５が押されたことを検出してメモリ制御部９に伝える（ステップＳ４０３、Ｓ４０５）。すなわち、サーチモードに設定される。メモリ制御部９は、メモリ８上を検索して次または前のファイルが記録されていれば、その番号を表示部３に表示する（ステップＳ４０７、Ｓ４０９）。
【００３０】
図５は、選択されているファイルに重要マークをつける場合の動作を示すフローチャートである。
【００３１】
停止モード中に表示部３に表示されているファイル番号が現在選択中のファイルであり、このファイルに重要マークをつける場合、操作部１の重要釦１６と停止釦１３を同時に１秒押し続けると（ステップＳ５０１）、モード制御手段２は重要マークをつける操作がおこなわれたことを検出してメモリ制御部９に伝える（ステップＳ５０３）。これにより、重要マークモードに設定される。メモリ制御部９は、現在のファイル番号のファイルをメモリ８上から検索して（ステップＳ５０５）、そのファイルのヘッダ領域に重要マークを付ける（ステップＳ５０７）。表示部３に重要マークを付けたことを表示する（ステップＳ５０９）。
【００３２】
図６は、重要サーチを行う場合の動作を示すフローチャートである。
【００３３】
停止モード中に、使用者は操作部１の重要釦１６を押しながらサーチプラス釦１４かサーチマイナス釦１５を押す（ステップＳ６０１）。モード遷移制御部２は、重要サーチの操作がおこなわれたことを検出してメモリ制御部９に伝える（ステップＳ６０３）。これにより、重要サーチモードに設定される。メモリ制御部９は、メモリ８上を検索して（ステップＳ６０５）、次または前のファイルが記録されているか否か判断する。
【００３４】
次または前のファイルが記録されていなければ（ステップＳ６０７のＮ）、その旨をモード遷移制御部２に通知し、停止モード中に表示されていたファイル番号を表示部３により表示させる（ステップＳ６０９）。次または前のファイルが記録されていれば（ステップＳ６０７のＹ）、メモリ制御部９はモード遷移制御部９に記録されているファイルがあることを通知し、モード遷移制御部９はそのファイル番号を（表示制御部４を介して）表示部３に表示させる（ステップＳ６１１）。さらに、メモリ制御部９は記録されているファイルのヘッダ領域に重要マークが付いているのかどうか調べる。
【００３５】
重要マークがついていれば（ステップＳ６１３のＹ）、モード遷移制御部９にそのファイルがあることを通知し、モード遷移制御部９はそのファイル番号を（表示制御部４を介して）表示部３に表示させる。重要マークが付いていなければ（ステップＳ６１３のＮ）、さらにメモリ８上に次または前のファイルを次々と検索していく（ステップＳ６１５）。
【００３６】
次に、図４に示した記録されたファイルをサーチする場合における実際の表示例を図７に示す。
【００３７】
図７では、まず１２３個のファイルがメモリ８に記録されているとし、検索開始時のファイル番号が「０１」で、ユーザがファイル番号「１２３」をサーチした場合の表示例を示している。
【００３８】
ユーザは検索開始時のファイル番号「０１」が表示されている状態で、操作部１のサー
チプラス釦１４を押すと、モード制御手段２はサーチプラス釦１４が押されたことを検出してメモリ制御部９にその旨伝える。メモリ制御部９はメモリ８上を検索して次のファイルが記録されていれば、そのファイル番号を表示部３に表示する。したがって、表示部３のファイル番号が「０２」→「０３」→「０４」・・・「１２１」→「１２２」と順次表示され、サーチ目的のファイル番号「１２３」をサーチすることができる。これにより、ユーザに検索実行中であることを知らせることができる。
【００３９】
また図示していないが、上記のようにシリアルにファイル番号を表示するのではなく、例えばファイル番号が「０５」→「１０」→「１５」・・・「１１５」→「１２０」といった所定数経過したファイル番号を表示させるようにしてもよい。この場合、メモリ制御部９が所定数経過したファイル番号があることを都度モード遷移制御部２に通知し、モード遷移制御部２から表示制御部４を介して表示部３に表示させる。
【００４０】
さらに、図６に示した重要サーチを行う場合における実際の表示例を図８に示す。
【００４１】
図８では、図７と同様に１２３個のファイルがメモリ８に記録されているとする。そして、図５で示した手順で重要マークがファイル番号「０１」と「１２３」に付されているとする。
【００４２】
ユーザは、まず検索開始時のファイル番号「０１」が表示されている状態で、操作部１の重要釦１６を押しながらサーチプラス釦１４を押すと、検索終了するファイル番号「１２３」まで表示部３に重要マークが点滅するようになる。これは、操作部１の重要マークサーチ（重要釦１６を押しながらサーチプラス釦１４を押す）が実行されると、モード遷移制御部２は重要サーチの操作がおこなわれたことを検出し表示制御部４に通知し、表示制御部４はこの通知に基づいて重要マークを表示部３に点滅表示させるよう制御する。よって、図８に示すように、検索中に重要マークを点滅表示させることができ、ユーザに現在検索中であることを知らせることができる。
【００４３】
上述したこの発明の記録再生装置によれば、重要サーチ中に、検索中のファイル番号（ナンバー）をリアルタイムに表示し、近場へのサーチであれば瞬時に、遠くへのサーチであれば、表示されているファイルナンバーが増減して、サーチ中であることをわからしめるので、従来に比べて、操作を受け付けて検索実行中であることが一目でわかり、また検索中の待ち時間のイライラも軽減させることができる。
【００４４】
また、記録媒体のメモリ８は記録再生装置に固定した半導体メモリでも良く、着脱可能なメモリカードでも良い。
【００４５】
さらに、音声・音楽出力部１０は、スピーカのほか、イヤホーンあるいはヘッドホーンによって、音声あるいは音楽を出力するようにしても良い。
【００４６】
なお、本発明は、上記実施形態に限定されるものではなく、実施段階では、その要旨を逸脱しない範囲で種々に変形することが可能である。
【図面の簡単な説明】
【００４７】
【図１】この発明の実施例について説明するための記録再生装置のブロック構成図。
【図２】停止モードから音声再生を行う場合の動作を示すフローチャート。
【図３】停止モードから音声録音を行う場合の動作を示すフローチャート。
【図４】記録されたファイルをサーチする場合の動作を示すフローチャート。
【図５】選択されているファイルに重要マークをつける場合の動作を示すフローチャート。
【図６】重要サーチを行う場合の動作を示すフローチャート。
【図７】記録されたファイルをサーチする場合における実際の表示例を示す。
【図８】重要サーチを行う場合における実際の表示例を示す。
【符号の説明】
【００４８】
１  操作部
２  モード遷移制御部
３  表示部
４  表示制御部
５  音声入力部
６  ＤＳＰ
７  ＤＳＰ制御部
８  メモリ
９  メモリ制御部
１０  音声・音楽出力部
１１  再生釦
１２  記録釦
１３  停止釦
１４  サーチプラス釦
１５  サーチマイナス釦
１６  重要釦
２０  電源回路
２１  バッテリ
５１  マイク
５２  フィルタ
５３  Ａ／Ｄ変換回路
１０１  Ｄ／Ａ変換回路
１０２  フィルタ
１０３  スピーカ
【図１】
2005084250.tif 000003
【図２】
2005084250.tif 000004
【図３】
2005084250.tif 000005
【図４】
2005084250.tif 000006
【図５】
2005084250.tif 000007
【図６】
2005084250.tif 000008
【図７】
2005084250.tif 000009
【図８】
2005084250.tif 000010